(57)【要約】【課題】  背側フレームと腰側フレームに敷設した表面材の干渉を防止し、使用者が楽な姿勢を保てるベッドを提供する。【解決手段】  背側フレーム４と腰側フレーム５とを備え、背側フレーム４を起伏可能に設けたベッドにおいて、背側フレーム４の基端４Ｋが上昇しながら起き上がる起立動作機構Ｓ１を備える。この起立動作機構Ｓ１は、背側フレーム４の基端４Ｋから突出された支持杆11と、この支持杆11の下端111側を案内するガイド部材12とを備える。背側フレーム４を起こすと、該背側フレーム４の基端４Ｋ側が上昇するため、背側フレーム４が持ち上がり、背側フレーム４と腰側フレーム５とが緩衝することがなく、また、起立した背側フレーム４の基端４Ｋ側と腰側フレーム５との間に角状の凹部が発生することがない。【選択図】図１
2005218590.tif 000002
【特許請求の範囲】
【請求項１】
背側フレームと腰側フレームとを備え、前記背側フレームを起伏可能に設けたベッドにおいて、前記背側フレームの基端が上昇しながら起き上がる起立動作機構を備えることを特徴とするベッド。
【請求項２】
前記背側フレームの基端と前記腰側フレームとの間に複数の分割連結フレームを設け、該分割連結フレームを前記背側フレームに連結したことを特徴とする請求項１記載のベッド。
【請求項３】
前記起立動作機構は、前記背側フレームの基端から突出された突出部材と、この突出部材の基端側を案内するガイド部材とを備え、前記突出部材は、背側フレームが起立した状態で、該背側フレームの基端を前記腰側フレームの上方に支持することを特徴とする請求項１又は２記載のベッド。
【発明の詳細な説明】
【技術分野】
【０００１】
本発明はベッドに関し、特に背側フレームが起き上がる病人介護用のベッドに関する。
【背景技術】
【０００２】
従来、医療用などに使用されているこの種のものとして、同出願人による病人用ベッド（例えば特許文献１）などが知られている。このベッドは、マットレスの主体部から腰部を分解するとともに、そのマットレス腰部を摺動機構を介して左右方向摺動自在に形成してなり、前記マットレス腰部を左右方向に摺動することにより、１人の看護人が軽く病人を持ち上げるだけで容易に寝返り状態にすることができ、病人に無理をかけることがなくなる。
【０００３】
また、この種のベッドで、背側フレームを背側マットレスの下方に位置して本体フレームに回動可能に枢支し、この枢支部を支点として背側フレーム及び背側マットレスを自動または手動によって上方に起き上がり回動するものも知られている。
【０００４】
しかし、このような背側フレームが起き上がるベッドでは、背側フレームを上方回動すると、背側マットレスと足側マットレスが衝合し、かつこれを足側方向に押動するため患者が足側マットレスと共に押しやられてしまい、この結果患者を元の位置に移動させなければならないなどの問題がある。
【０００５】
そこで、この問題を考慮して、同一出願人は本体フレームに背側フレームを起き上がり可能に設けたベッドにおいて、前記背側フレームの下方に円弧部を有する移動部材を設け、前記本体フレームに前記移動部材が摺動する円弧状案内部を設けたもの（例えば特許文献２）を提案している。
【特許文献１】実公昭６０−１０５６９号
【特許文献１】実開平３−３３６２７号
【発明の開示】
【発明が解決しようとする課題】
【０００６】
上記特許文献２のベッドでは、背側フレームの起き上がり回動時に背側フレームが斜め前方に向って移動することにより背側マットレスが腰側マットレスを押圧することを防止できる。
【０００７】
しかし、このベッドでは、同出願時の願書に添付した明細書中第４頁に記載されているように、案内部材は四角形状の枠体から形成され、左右側板の内面には同心の内円弧部と外円弧部とを有する案内溝を形成し、この案内溝に摺動自在に貫挿される移動部材を形成し、この移動部材に一体に背側フレームを固着し、案内部材自体が前記案内溝に沿って摺動するものであるため、比較的機構が複雑となる面がある。
【０００８】
また、背側フレームを起立した時、背側フレームの下端と腰側フレームとの端部との境目に角部が発生するため、上に敷いたマットや使用者の背面との間に隙間が発生し、使用感を損なう懸念がある。
【０００９】
そこで、本発明は、構造簡易にして、背側フレームと腰側フレームに敷設した表面材の干渉を防止することができるベッドを提供することを目的とし、加えて、使用者が楽な姿勢を保てるベッドを提供することを目的とする。
【課題を解決するための手段】
【００１０】
請求項１の発明は、背側フレームと腰側フレームとを備え、前記背側フレームを起伏可能に設けたベッドにおいて、前記背側フレームの基端が上昇しながら起き上がる起立動作機構を備えるものである。
【００１１】
請求項２の発明は、前記背側フレームの基端と前記腰側フレームとの間に複数の分割連結フレームを設け、該分割連結フレームを前記背側フレームに連結したものである。
【００１２】
請求項３の発明は、前記起立動作機構は、前記背側フレームの基端から突出された突出部材と、この突出部材の基端側を案内するガイド部材とを備え、前記突出部材は、背側フレームが起立した状態で、該背側フレームの基端を前記腰側フレームの上方に支持するものである。
【発明の効果】
【００１３】
請求項１の発明によれば、背側フレームを起こすと、該背側フレームの基端側が上昇するため、背側フレームが持ち上がり、背側フレームと腰側フレームとが緩衝することがなく、また、起立した背側フレームの基端側と腰側フレームとの間に角状の凹部が発生することがない。
【００１４】
また、請求項２の発明によれば、起立した前記背側フレームの基端と前記腰側フレーム側との間が、複数の分割連結フレームにより、略彎曲状に連結された状態が得られる。
【００１５】
また、請求項３の発明によれば、起立状態でガイド部材により背側フレームの基端は腰側フレームより高い位置となり、突出部材とガイド部材とを組み合わせた簡易な構造により、前記背側フレームの基端が上昇しながら起き上がる起立動作機構を構成できる。
【発明を実施するための最良の形態】
【００１６】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１７】
以下、本発明の実施例を添付図面を参照して説明する。図１ないし図５は本発明の実施例１を示し、同図において１は本体フレームであり、この本体フレーム１は、前後に配したヘッドボード２とフットボード２Ａと、これら前後各ボード２，２Ａの間に架設した左右のサイドフレーム３，３とで構成されている。そして、前記左右のサイドフレーム３，３には、前記各ボード２，２Ａとほぼ同幅な枠状に形成した背側フレーム４と腰側フレーム５及び脚側フレーム６が相互に隣接して前記ヘッドボード２側から順次並設されている。尚、それらフレーム４，５，６は中空パイプを折曲したり、板材などを用いて構成される。そして、前記背側フレーム４は、本体フレーム１に対して起伏自在に設けられるとともに、背側フレーム４の起立動作に連動して該背側フレーム４の基端４Ｋを上昇する起立動作機構Ｓ１が設けてある。
【００１８】
前記起立動作機構Ｓ１は、前記背側フレーム４の基端４Ｋの裏面側から突出する突出部材たる支持杆11，11を備え、これら支持杆11，11は背側フレーム４の左右にそれぞれ設けられており、この支持杆11は背側フレーム４の前後方向に延設されている。それら支持杆11，11に対応して、前後方向のガイド部材12，12を本体フレーム１に位置決め固定して設け、それら支持杆11，11の下端側は前記ガイド部材12，12に係合する。前記支持杆11は一定の長さを有し、その下端111に回動可能に設けた案内ローラ112が、前記ガイド部材12の案内溝121に係入して案内され、その案内溝121は、ほぼ水平方向であって、下側の支持面121Ｓと上側の押え面121Ｕとの間に形成されている。また、前記押え面121Ｕの前側上部には、背側フレーム４が伏した位置で係合する縦方向の前面121Ｍが形成され、この前面121Ｍと水平方向の前記押え面121Ｕとが湾曲案内面121Ｗにより連結されている。
【００１９】
したがって、水平位置の背側フレーム４を水平方向の力で前側に押しても、ローラ112が案内溝前面121Ｍに係合しているため、前側への移動が防止される。一方、背側フレーム４を前側上方に押す力を受けると、湾曲面121Ｗにローラ112が案内されて、該ローラ112が案内溝121内に係入する。このようにローラ112が案内溝121に係入すると、背側フレーム４の前側が上昇する。この後は、ローラ112が前側に移動するに連れて支持杆11が起立し、背側フレーム４が起き上がる。
【００２０】
そして、案内溝121に前記下端111の案内ローラ112が係合すると共に背側フレーム４が起立した状態で、前記支持杆11は、背側フレーム４の基端４Ｋを腰側フレーム５より上方に支持する長さを有する。尚、左右の支持杆11，11の間は補強部材17により連結されている。
【００２１】
前記背側フレーム４と腰側フレーム５との間には、複数の分割連結フレーム15，15…が設けられ、この分結連結フレーム15は背側フレーム４を前後方向に短くした形状をなし、それら背側フレーム４と分割連結フレーム15，15…を連結シート材16により連結し、さらに、腰側フレーム５側の分割連結フレーム15を、枢着軸15Ａにより、本体フレーム１のサイドフレーム３，３に回動自在に連結してなり、この連結シート材16は、可撓性を有するものであって、それらフレーム４，15，…の表面に貼設されている。そして、それらフレーム４，15，…間に隙間を設けた状態で前記連結シート材16が貼設されている。
【００２２】
前記脚側フレーム６は、前側分割部６Ｍと後側分割部６Ｕとに分割され、これら分割部６Ｍ，６Ｕ同士は回動可能に連結され、また、前側分割部６Ｍの前端両側をサイドフレーム３，３に回動自在に連結している。前記本体フレーム１には背側フレーム４の駆動手段としてモータ25と脚側フレーム６の中央側を起伏させるシリンダ26が取付けられ、その一方のモータ25に起伏リンクアーム25Ａが枢着され、この起伏リンクアーム25Ａの先端が背側フレーム４の下面に枢着部25Ｂにより回動可能に枢着されている。一方、前記シリンダ26は脚側フレーム６の後側分割部６Ｕの裏面に枢着されている。そして、これら各モータ25とシリンダ26によって各フレーム４，６の傾斜角度が任意に調整できるようになっている。なお、背側フレーム４はモータ25によって単独で起伏し、一方、脚側フレーム６は、シリンダ26によって単独で起伏する。また、前記サイドフレーム３，３の内端縁には、各フレーム４，６を水平に支持する段部３Ａ，３Ａが形成されている。
【００２３】
また、前記各フレーム４，15，５，６の表面側に支持面を構成するマットレスや板材などの表面材33が一体に載置される。また、腰側フレーム５は左右スライド機構Ｓ２を介して本体フレーム１に対して左右横方向に移動自在に設けてある。
【００２４】
また、各フレーム４，５，６に対応して、前記表面材33は背部，腰部，脚部の表面材33Ａ，33Ｂ，33Ｃに分割されて各フレーム４，５，６上に一体に設けられている。また、分割連結フレーム15も、表面材33Ｄを一体に有する。
【００２５】
以上にように構成されるベッドの使用方法について説明する。まず、背側フレーム４，連結分割フレーム15，腰側フレーム５及び脚側フレーム６を倒した状態では、これら各フレーム４，15，５，６がサイドフレーム３の段部３Ａに当接して水平な状態となっている。この状態で、ベッドに寝かせた病人のねまきの脱着やおむつの取替え、床ずれなどを和らげるため、仰向けの状態から寝返りする場合、看護人が腰側フレーム５を横方向にスライドさせる。このように体の重心となる腰部を横方向にスライドさせることで仰向けの状態から病人を簡単に寝返りさせることができる。このため、従来は何人もの人手に頼わざるを得なかったこれらの作業を一人の看護人で行うことができる。
【００２６】
また、各フレーム４，６はモータ25，シリンダ26によって自由に角度を変えることができる。特に、背側フレーム４を、モータ25の駆動により起き上がると共に、ガイド部材12に対して支持杆11の下端111を前方（ヘッドボード２側）に移動すると、背側フレーム４の下端４Ｋが腰側フレーム５より上方前側に移動し、前記下端４Ｋと腰側フレーム５とを連結する複数の分割連結フレーム15，15…が自重により湾曲状をなす。一方、背側フレーム４を水平位置に倒すと、ローラ112が前面121Ｍに係合するから、背側フレーム４の前側へのずれが防止される。
【００２７】
そして、このように各フレーム４，15，５，６を起こした状態で前述したように腰側フレーム５を左右スライド機構Ｓ２によって横方向にスライドさせることによって、病人の最も楽な姿勢で寝返りさせることができる。この際、前述したように、隣接する腰部表面材33Ｂに突き当たらないから、背側フレーム４と共に、腰部フレーム５を起して腰部表面材33Ｂを横にスライドする際、背部と腰部の各表面材33Ａ，33Ｂが相互に干渉しないため、腰部表面材33Ｂのスライドもスムーズに行うことができる。
【００２８】
このように本実施例では、請求項１に対応して、背側フレーム４と腰側フレーム５とを備え、背側フレーム４を起伏可能に設けたベッドにおいて、背側フレーム４の基端４Ｋが上昇しながら起き上がる起立動作機構Ｓ１を備えるから、背側フレーム４を起こすと、該背側フレーム４の基端４Ｋ側が上昇するため、背側フレーム４が持ち上がり、背側フレーム４と腰側フレーム５とが緩衝することがなく、また、起立した背側フレーム４の基端４Ｋ側と腰側フレーム５との間に角状の凹部が発生することがない。そして、背側フレーム４は水平位置から起立状態に起きあがる間に背側フレーム４の基端４Ｋが上昇する。
【００２９】
また、このように本実施例では、請求項２に対応して、背側フレーム４の基端４Ｋと腰側フレーム５との間に複数の分割連結フレーム15，15…を設け、該分割連結フレーム15を背側フレーム５に連結したから、起立した背側フレーム４の基端４Ｋと腰側フレーム５側との間が、複数の分割連結フレーム15，15…により、略彎曲状に連結された状態が得られる。
【００３０】
また、このように本実施例では、請求項３に対応して、起立動作機構Ｓ１は、背側フレーム４の基端４Ｋから突出された突出部材たる支持杆11と、この支持杆11の基端側たる下端111側を案内するガイド部材12とを備え、支持杆11は、背側フレーム４が起立した状態で、該背側フレーム４の基端４Ｋを腰側フレーム５の上方に支持するから、起立状態でガイド部材12により背側フレーム４の基端４Ｋは腰側フレーム５より高い位置となり、支持杆11とガイド部材12とを組み合わせた簡易な構造により、背側フレーム４の基端４Ｋが上昇しながら起き上がる起立動作機構Ｓ１を構成できる。
【実施例２】
【００３１】
図６及び図７は本発明の実施例２を示し、前記実施例１と同一部分に同一符号を付し、その詳細な説明を省略して詳述する。この例では、前記左右スライド機構Ｓ２の変形例を示し、その構成を図５及び図６の断面図を参照して説明する。左右スライド機構Ｓ２は、本体フレーム１の腰部に対応したフレーム部５Ａを設け、このフレーム部５Ａに横架した前後一対の案内レール28と、この案内レール28に軸支する複数の回転ローラ29と、前記腰側フレーム５の裏面側に固定して前記案内レール28に外装するスライドレール30とから構成されている。前記案内レール28は、図６に示すように、裏面側を開口した断面コ字型に形成され、その左右両側壁に軸支した前記回転ローラ29が案内レール28の上面部に形成する孔28Ａから僅かに突出する。また、前記スライドレール30も前記案内レール28と同様、裏面側を開口した断面コ字型に形成されているが、図５に示すように、スライドレール30の左右両側壁の両端縁に切欠部31が設けてあり、この切欠部31の端部を前記フレーム部５Ａの内縁に当接することによって、前記腰側フレーム５のスライド移動を規制するようにしている。なお、腰側フレーム５をモータ駆動により左右方向にスライドさせるようにしてもよい。
【００３２】
そして、仰向けの状態から寝返りする場合、看護人が腰側フレーム５を左右方向に押し、その腰側フレーム５の裏面側に取付けたスライドレール30を案内レール28に沿わせて横方向にスライドさせる。この場合、腰側フレーム５は、スライドレール30と案内レール28の嵌合によって前後方向の位置決めされ、かつ、案内レール28に組み付けた回転ローラ29の転動によって、安定的にスライドでき、このように体の重心となる腰部を横方向にスライドさせることで仰向けの状態から病人を簡単に寝返りさせることができる。また、腰部フレーム５をスライドする際、案内レール28で案内されるスライドレール30に切欠部31を形成しているので、その切欠部31が腰側フレーム５の内縁に当接してそれ以上のスライドを規制しているので、腰フレーム５の脱落などの危険もなく安全である。
【実施例３】
【００３３】
図８は本発明の実施例３を示し、前記各実施例と同一部分に同一符号を付し、その詳細な説明を省略して詳述する。この例では、補助駆動手段たるモータ35を設け、このモータ35の一端に伸縮する伸縮杆36を設け、この伸縮杆36の先端を支持杆11の下端111側に回動可能に枢着し、前記モータ35の他端を本体フレーム１側に回動可能に枢着している。
【００３４】
そして、前記モータ25とモータ35の駆動により、背側フレーム４を起き上げると共に、支持杆11の下端111がガイド部材12に沿って前側に移動するように駆動する。
【実施例４】
【００３５】
図９は本発明の実施例４を示し、前記各実施例と同一部分に同一符号を付し、その詳細な説明を省略して詳述する。この例では、前記左右スライド機構Ｓ２の構成が異なるのみで、他の構成は、前記各実施例と概ね同一であり、異なる部分についてのみ説明する。本実施例は、左右スライド機構Ｓ２をフレーム部５Ａに横架した前後一対の案内杆45と、この案内杆45に外装するスライドベアリング46で構成し、このスライドベアリング46を腰側フレーム５の裏面側に固定している。そして、スライドベアリング46の固定位置を腰側フレーム５のスライド量に対応させて前記腰側フレーム５から離して取り付けている。なお、フレーム部５Ａと内側は、腰側フレーム５とスライドベアリング46との当接時のショックの吸収、衝突音の緩和の目的でゴムなど緩衝部材47を設ける。
【実施例５】
【００３６】
図１０は本発明の実施例５を示し、前記各実施例と同一部分に同一符号を付し、その詳細な説明を省略して詳述する。この例では、前記左右スライド機構Ｓ２の構成が異なるのみで、他の構成は、前記各実施例と概ね同一であり、異なる部分についてのみ説明する。本実施例の左右スライド機構Ｓ２は、フレーム部５Ａを角筒状に形成し、そのフレーム部５Ａに前後一対のガイドレール50を横架し、このガイドレール50に沿って転動するキャスターローラー51を腰側フレーム５の裏面側に固定して左右スライド機構Ｓ２を構成している。
【実施例６】
【００３７】
図１１は本発明の実施例５を示し、前記各実施例と同一部分に同一符号を付し、その詳細な説明を省略して詳述する。この例では、前記ベットの上に一体又は別体で設けるマットレスを示し、背側マットレス61と腰側マットレス62とが上面角部側の連結部63により回動可能に連結されている。尚、背側マットレス61は背側フレーム４側に設けられ、腰側マットレス62は腰側フレーム５側に設けられる。また、前記背側マットレス61の側部には略扇型のカバー体64が設けられ、このカバー体64は保形性を有する。
【００３８】
そして、図１１（Ａ）の背側フレーム４を伏した状態では、背側マットレス61の後縁面61Ｔと、腰側マットレス62の前縁面62Ｔとが合わされた状態であり、図１１（Ｂ）のように、背側フレーム４が起き上がって背側マットレス61が起き上がると、前記後縁面61Ｔと前縁面62Ｔとの間の隙間を前記カバー体64が隠す。
【００３９】
尚、本発明は上記各実施例に限定されるものではなく、本発明の要旨の範囲内において、種々の変形実施が可能である。例えば、実施例３以外の実施例においても、突出部材の下端側を移動する補助駆動手段を設けてもよい。また、背側フレームが傾斜した位置で固定及び固定解除する手段があれば、駆動手段及び補助駆動手段を必ずしも設ける必要はなく、手動で背側フレームを起伏し、かつ固定及び固定解除して使用してもよい。
【図面の簡単な説明】
【００４０】
【図１】本発明の実施例１を示すベッドの断面図である。
【図２】同上、起立動作機構周りの断面図である。
【図３】同上、ガイド部材と支持杆の下端側の断面図である。
【図４】同上、ベッドの平面図である。
【図５】同上、一部を切り欠いたベッドの斜視図である。
【図６】本発明の実施例２を示す左右スライド機構周りの断面図である。
【図７】同上、図６のＡ−Ａ線断面図である。
【図８】本発明の実施例３を示すガイド部材と支持杆の下端側の断面図である。
【図９】本発明の実施例４を示すベッドの断面図である。
【図１０】本発明の実施例５を示すベッドの断面図である。
【図１１】本発明の実施例６を示すベッドの要部の側面図である。
【符号の説明】
【００４１】
１  ベッド本体
４  背側フレーム
４Ｋ  基端
５  腰側フレーム
Ｓ１  起立動作機構
11  支持杆（突出部材）
111  下端
12  ガイド部材
15  分割連結フレーム
16  連結シート材
【図１】
2005218590.tif 000003
【図２】
2005218590.tif 000004
【図３】
2005218590.tif 000005
【図４】
2005218590.tif 000006
【図５】
2005218590.tif 000007
【図６】
2005218590.tif 000008
【図７】
2005218590.tif 000009
【図８】
2005218590.tif 000010
【図９】
2005218590.tif 000011
【図１０】
2005218590.tif 000012
【図１１】
2005218590.tif 000013